(57)【要約】【課題】美容効果を観察するための肌拡大画像の記録保存装置において、従来は１画像しか画面上に表示することができず、効果の確認をすることが困難であった。また、肌拡大画像は取り込めても、人物全体の画像を取り込むことができず、どの人物の肌拡大画像かを判別するのに、手間がかかる問題があった。【解決手段】本装置では、肌スコープで観察した画像を容易にコメントをいれて記録保存することができ、また、一度記録した画像を、時系列に並べて表示することが可能なため、確実に効果を観察することができる。また、デジカメ画像の取込み、または、肌スコープにアタッチメントをつけることで、人物全体画像を容易に取込むことが可能であり、どの人物の肌拡大画像かを一目で判別することが可能である。【選択図】    図３
2005151511.tif 000002
【特許請求の範囲】
【請求項１】
拡大レンズを備えたＣＣＤカメラと画像キャプチャー装置と汎用のパーソナルコンピューターとパーソナルコンピューターにインストールされた専用のソフトウェアと外部データ記録装置からなり、肌の状態をモニター上で確認可能な肌拡大画像記録保存装置において、記録した画像をモニター上で複数個時系列に並べて、比較確認することが可能な肌拡大画像記録保存装置。
【請求項２】
請求項１の肌拡大画像記録保存装置において、保存した画像に対して、画像の部位やシミ、しわといった情報を、画面上で容易に選択して保存できると同時に、画像に対するコメントも容易に記録保存可能なことを特徴とした、肌拡大画像記録保存装置。
【請求項３】
請求項１の肌拡大画像記録保存装置において、ＣＣＤカメラを備えたハンドピースの先端部に、アタッチメントを取り付けることで、肌拡大画像だけでなく、普通のデジタルカメラのような画像も記録保存可能なことを特徴とした、肌拡大画像記録保存装置。
【請求項４】
請求項１の肌拡大画像記録保存装置において、ソフトウェア上で、デジタルカメラで撮影した写真も、容易にモニター上に取り込めることを特徴とした、肌拡大画像記録保存装置。
【発明の詳細な説明】
【発明の詳細な説明】
【技術分野】
【０００１】本発明は、特に美容を目的とした、肌観察スコープ及びその画像記録保存装置に関する。
【背景技術】
【０００２】従来の美容を目的とした、肌観察スコープ及びその画像記録保存装置としては、ある時点での肌の状態を観察したり、記録保存したりする機能はあったが、記録保存した画像を、時系列に並べて画像を表示する機能がなかった。また、その画像に対して、どういう画像であるかを並行して記録保存するのに、いちいちコメントを入力しなければならないわずらわしさがあった。【０００３】また、拡大画像は保存可能であっても、どういう人物の画像であるかを容易に判別するための、標準的な顔等人物全体の画像を並行して、記録保存する機能を備えていなかった。
【発明が解決しようとする課題】
【０００４】従来の技術では、ある時点での肌の状態を観察したり、記録保存したりする機能しかなかったために、現在の肌の状態や、過去に記録保存したある時点での画像を確認することしかできないために、具体的に肌の状態がどう変化しているかを目視で、明確に確認できない問題があった。また、その画像に対して、容易に、どの部位の、どういう画像であるかを入力できず、いちいちコメントを記入しなければならないわずらわしさの問題があった。
【０００５】また、肌スコープにより、肌を拡大した画像は記録保存して、モニター上で確認することはできても、その人物全体の写真を、画像に取り込むことができなかったために、その肌が、どういう人物の肌であるかを、一目みて、容易に識別することができない問題があった。
【課題を解決するための手段】
【０００６】本発明では、このような問題を解決するために、肌スコープで観察した画像を記録保存した後、モニター上で時系列に並べて比較することができる機能を有する。
【０００７】また、肌スコープで観察し、記録保存した肌の情報を、いちいちコメント入力しなくても、あらかじめ登録された情報から選択するだけで、どの部位の、どういう状態の肌であるかを、容易に画像と並行して、記録保存し、また、モニター上で、確認することができる。
【０００８】更に、肌スコープ用ハンドピースの先端部に、専用のアタッチメントを取り付けることで、デジタルカメラのように、人物画像を記録することも可能であり、また、デジタルカメラの画像を、そのままソフトウェアに取り込むことも容易にできるため、いちいち表示された名前を確認しなくても、一目みただけでどういう人物の肌の画像であるかも、容易に識別することが可能である。
【発明実施の形態】
【０００９】以下、本発明の実施例を図面に基づき説明する。図１は、本発明の肌拡大画像記録保存装置を示す。本装置は、汎用パーソナルコンピューター１と外部記憶装置２、モニター３、画像キャプチャー装置４、肌スコープ用ハンドピースより構成される。
【００１０】図２に肌スコープ用ハンドピースの内部構成図と使用例を示す。肌スコープ用ハンドピース内には、照明用ＬＥＤ７とＣＣＤカメラが内蔵されており、ハンドピースの先端部を肌に押し付けることにより、肌表面の状態をモニター上に拡大して表示し、確認することができる。
【００１１】図３に本発明のモニター画像例を示す。現在映し出されている画像、及び、以前に記録保存しておいた画像は、モニター画像位置８に表示される。記録したい肌位置に合わせておき、部位、内容選択スイッチ９を用いて部位、内容のコメントを選択し、画像保存スイッチ１０をクリックすることで、簡単に画像とそのコメントを一緒に、保存することができる。また、画像は、並列に並んでおり、一度保存した画像を容易に時系列に、モニター画像位置８に並べて表示させることが可能となっている。
【００１２】また、人物の全体画像を記録しておきたい場合には、デジタルカメラで人物画像を撮影した後で、図３のデジカメ画像取込スイッチ１１をクリックするか、あるいは、図４のようにハンドピース先端部に標準（人物全体）画像取り込み用アタッチメント１２をとりつけることで、肌スコープ用ハンドピースをデジタルカメラのように使用して、画像保存スイッチ１０をクリックして画像を取り込むことも可能である。
【発明の効果】
【００１３】本発明により、美容効果観察時に、肌の拡大画像に対して容易にコメントをつけて、保存できると同時に、以前の画像を並べて表示することが可能となることで、美容効果の時系列的な比較をモニター上で容易に行うことが可能となる。
【００１４】また、デジタルカメラ画像を容易に取り込むことが可能なのと同時に、肌スコープからも、アタッチメントをつけるだけで、人物全体画像を取り込むことができ、いちいち、その人物の情報を読み取らなくても、人物画像を一目みるだけで、どの人物の情報かも容易に判別することが可能となる。
【図面の簡単な説明】
【図１】本発明の肌拡大画像記録保存装置
【図２】本発明の肌拡大画像記録保存装置用ハンドピース図
【図３】本発明のモニター画像例
【図４】本発明ハンドピースにアタッチメントをつけた図
【符号の説明】
１・・・・・汎用パーソナルコンピューター
２・・・・・外部記憶装置
３・・・・・モニター
４・・・・・画像キャプチャー装置
５・・・・・肌スコープ用ハンドピース
６・・・・・ＣＣＤカメラ
７・・・・・照明用ＬＥＤ
８・・・・・モニター画像位置
９・・・・・部位、内容選択スイッチ
１０・・・・・画像保存スイッチ
１１・・・・・デジカメ画像取込スイッチ
１２・・・・・標準（人物全体）画像取り込み用アタッチメント
【図１】
2005151511.tif 000003
【図２】
2005151511.tif 000004
【図３】
2005151511.tif 000005
【図４】
2005151511.tif 000006